【手続補正書】
【提出日】平成16年9月14日(2004.9.14)
【手続補正１】
【補正対象書類名】明細書
【補正対象項目名】００４４
【補正方法】変更
【補正の内容】
【００４４】
フィルム種の検出方法には特に限定は無く、例えば、図示例のような新写真システムのフィルムＦである場合には、キャリア３０の磁気ヘッド４２でフィルムＦの磁気記録媒体Ｓ１の磁気情報を読み取って、磁気情報からフィルム種を検出し、フィルム特性記憶部６１に供給すればよい。
また、通常（１３５サイズ等）および新写真システムのフィルムに関わらず、コードリーダ４４でＤＸコード等を読み取ってフィルム種を検出してもよく、オペレータがキーボード１８ａ等を用いてフィルム種を入力してもよい。
【手続補正２】
【補正対象書類名】明細書
【補正対象項目名】００４５
【補正方法】変更
【補正の内容】
【００４５】
図示例の装置では、各種のフィルムの特性は、データベース化されてフィルム特性記憶部６１に記憶され、フィルム種を検知して読み出しているが、本発明はこれに限定されるものではない。
例えば、新写真システムのフィルムＦであれば、磁気記録媒体Ｓ１にフィルム特性を磁気記録しておき、これをキャリア３０の磁気ヘッド４２で読み取って、フィルム特性記憶部６１に供給してもよい。また、通常および新写真システムに限らず、フィルムの画像（コマ）領域外に、フィルムの特性をバーコード等で光学的に記録しておき、それをスキャナ３０によるコードリーダ４４やフィルム画像の読み取りと同様に、イメージセンサ３４で読み取ってもよい。
【手続補正３】
【補正対象書類名】明細書
【補正対象項目名】００４８
【補正方法】変更
【補正の内容】
【００４８】
レンズ特性および撮影データ供給部６３は、フィルムＦから、当該フィルムＦを撮影したカメラ機種やその撮影レンズ情報やシャッタ種を判別する情報、および、各画像駒の撮影時の撮影データ、例えばシャッタ速度や絞り値などの情報を取得し、得られた判別情報に対応する撮影カメラのレンズの特性、および、撮影カメラに応じたシャッタ種、得られた撮影データの情報、すなわち当該フィルムＦの各画像駒の撮影時のシャッタ速度や絞り値の情報等を、可能な限り収集し、すなわちメモリ、例えば予め作成された対応テーブルなどから読み出して取得し、周辺光量補正部６２Ａ，６６Ａに供給する部分である。
【手続補正４】
【補正対象書類名】明細書
【補正対象項目名】００４９
【補正方法】変更
【補正の内容】
【００４９】
すなわち、レンズ特性および撮影データ供給部（以下、単にデータ供給部という）６３は、メモリ（対応テーブル）を有し、このメモリには、予め作成されたカメラ機種またはその撮影レンズの情報と撮影レンズの特性との対応テーブル、例えば各種のカメラ機種やその撮影レンズに応じたレンズ特性の情報、カメラ機種またはそのシャッタ種の情報、撮影時の撮影データであるシャッタ速度および絞り値の情報の少なくとも１つと濃度ムラ特性（またはシャッタ特性や絞り特性）との対応テーブル、例えば各種のカメラ機種やそのシャッタ種、シャッタ速度および絞り値などに応じた濃度ムラ特性（またはシャッタ特性や絞り特性）の情報、具体的には、各種レンズに対応する、画像中心からの距離に応じた減光量の情報や、シャッタ種，撮影時のシャッタ速度，絞り値に対応する画像の各画素位置における濃度ムラデータや減光量、または画像中心からの距離に応じた濃度ムラデータや減光量の情報などが予め記憶されている。
【手続補正５】
【補正対象書類名】明細書
【補正対象項目名】００５０
【補正方法】変更
【補正の内容】
【００５０】
ここで、撮影レンズ特性に起因する濃度ムラの場合、撮影レンズを通して全面に渡って均一光量（光強度）を持つ光源を画像として撮影した写真フィルムの画像上に展開した時に得られる光量変化、すなわち周辺光量低下または減光量が、例えば同心円状になる場合には、画像の中心からの距離の数式、例えば、１次式や２次式や３次式などの多項式に展開できる。このため、撮影レンズの特性として、その数式自体または、その数式の次数と各項の係数などをデータ供給部６３のメモリに格納しておけばよい。例えば多項式として下記に示す３次式を用いる場合には、その係数ａ，ｂ，ｃ，ｄを撮影レンズ毎にメモリに格納しておけばよい。ここで例えばＥは減光量、ｒは画像の中心からの距離を表す。
Ｅ＝ａｒ3＋ｂｒ2＋ｃｒ＋ｄ
一方、上記光量変化、すなわち周辺光量低下または減光量が、例えば楕円状になり、しかもその形状が画像の中心からの距離に対して変化していくような場合には、画像の中心からの距離の数式として表すことができない、または困難である、もしくは数式として表すと式が複雑となり、処理や計算が複雑で、処理や演算に時間がかかる。このため、撮影レンズの特性として、例えば、画像全面のマスクパターン、対象性が有る場合にはその基本となる一部、例えば、楕円状の場合のように直交する２本の対称軸を持つ場合には、画像全面の４分の１のマスクパターンをデータ供給部６３のメモリに格納しておけばよい。
【手続補正６】
【補正対象書類名】明細書
【補正対象項目名】００５４
【補正方法】変更
【補正の内容】
【００５４】
データ供給部６３は、取得したカメラ機種やシャッタ種や撮影レンズの判別情報およびシャッタ速度や絞り値などの撮影データの情報に基づいて、それに応じた撮影レンズの特性および濃度ムラ特性、例えば、濃度ムラデータや基準濃度ムラデータ等、またはシャッタ特性や絞り特性の情報をメモリから読み出し、これを周辺光量補正部６２Ａ，６６Ａに供給する。なお、撮影レンズ特性や濃度ムラ特性（またはシャッタ特性や絞り特性）やシャッタ速度や絞り値などの撮影データの情報は、データ供給部６３が有するメモリに記憶されるものに限定はされず、例えば、フォトプリンタ１０に接続されるデータベースに記憶しておき、ここにアクセスして読み出してもよく、あるいは、フィルムＦの読み取り時にフィルムに対応するカメラ機種、シャッタ種、シャッタ速度、絞り値、シャッタ特性、絞り特性や撮影レンズの情報として外部から入力されてもよい。
【手続補正７】
【補正対象書類名】明細書
【補正対象項目名】００６３
【補正方法】変更
【補正の内容】
【００６３】
こうして得られた各減光量ΔＬogＥ（ΔＬogＥａ、ΔＬogＥｂまたはΔＬogＥｃおよびΔＬogＥｄ）のいくつか、少なくとも１つを加算して、本発明において補正すべき濃度ムラ（周辺光量ムラ）を算出することができる。なお、これらの減光量ΔＬogＥａ、ΔＬogＥｂまたはΔＬogＥｃおよびΔＬogＥｄのうちのいずれを加算するかは、適宜選択すれば良いが、例えば後述する補正対象濃度ムラの大きさに応じて選択すればよい。また、これらの減光量の加算においては、必要に応じて各減光量に重みをかけて加算してもよい。
ここで、データ供給部６３から与えられるレンズ特性、シャッタ特性、絞り特性や、周辺光量低下データや濃度ムラデータや周辺光量ムラデータなどを、予め撮影光量データとして、より好ましくは減光量データとして求めておくと、減光量の高速な計算が可能である。
通常、シャッタ速度や絞り値に対して行うべき濃度ムラ補正、すなわち光量低下補正の大きさは、先に示したレンズ特性に対して行うべき濃度ムラ補正や光量低下補正の大きさの数分の一〜十分の一程度であるので、以下に述べるように、その画素に対してどの程度の補正を行うかを定めて、必要な濃度ムラ、光量低下に対する補正を行えばよい。
【手続補正８】
【補正対象書類名】明細書
【補正対象項目名】００６６
【補正方法】変更
【補正の内容】
【００６６】
このように、本実施形態では、画像信号からネガ濃度を算出し、これをフィルム特性曲線を利用して撮影光量に変換し、撮影光量の範囲で補正を行い、再びネガ濃度に戻している。
なお、特性曲線が略直線となる領域においては、補正すべき減光量をネガ濃度の方へ変換し、それを濃度に上乗せすることで、濃度領域において補正を行うようにすることもできる。
上述した例は、ネガフィルムの画像を周辺光量補正の対象とし、画像のネガ濃度に対応して周辺光量補正の補正強度を変化させ、未露光部分の最小濃度を示すベース濃度付近では補正強度を弱くし、ベース濃度から離れるほど補正強度を強くするものであったが、本発明はこれに限定されず、例えばリバーサルフィルムの画像を対象とし、未露光部分の最大濃度を示すベース濃度付近では補正強度を弱くし、ベース濃度から離れるほど補正強度を強くするものであってもよいし、あるいはネガフィルムではかぶり部分である最大濃度を示すかぶり濃度またはリバーサルフィルムではかぶり部分である最小濃度を示すかぶり濃度付近では補正強度を弱くし、最大濃度または最小濃度（かぶり濃度）から離れるほど補正強度を強くするものであってもよい。